(57)【要約】      （修正有）【課題】携帯電子機器の支持構造を提供する。【解決手段】基板１、枢着ソケット２、支持部材３、枢軸４、パッドリング５、パッド６及び貼合部材７からなり、そのうち、枢着ソケット２は、基板１の一側面上に設けられ、枢着ソケット２の凸柱２１は、基板１の貫通孔１１内に貫通設置され、支持部材３は、枢軸４により枢着ソケット２上に設けられ、支持部材３の２つの側辺は、孤形欠き口３２を相対して設け、パッドリング５及びパッド６は、基板１の凹面１０上に設けられ、貼合部材７は、基板１の凹面１０上に設けられ、このように、基板１を携帯電子機器上に直接貼合し、枢着ソケット２に基板１上で任意の角度の回転を呈させることができ、支持部材３は、基板１上で任意の展開角度を呈する調整ができ、使用者が支持部材３の設置角度を自ら調整でき、携帯電子機器を支持させ、便利に掴持使用させることができる。【選択図】図１
0003201193.tif 000002
【実用新案登録請求の範囲】
【請求項１】
基板であり、該基板に凹面を設け、該基板上に貫通孔を設ける基板と、
枢着ソケットであり、該基板の一側面に設けられ、該枢着ソケット上に軸孔を設け、該枢着ソケットの端部に凸柱を設け、該凸柱は、該基板の貫通孔内に貫通設置される枢着ソケットと、
支持部材であり、該枢着ソケット上に設けられ、該支持構造は、２つの枢着凸耳を設け、該枢着凸耳上に軸孔を設け、該支持部材の２つの側辺が孤形欠き口を相対して設ける支持部材と、
該支持部材の軸孔と、該枢着ソケットの軸孔内に貫通設置される枢軸と、
パッドリングであり、該基板の凹面上に設けられ、該パッドリングは、ゴム材質から形成され、該パッドリング上に貫通孔を設けるパッドリングと、
パッドであり、該パッドリング上に貼合され、該基板の凹面上に設けられ、該パッド上に貫通孔を設けるパッドと、
該基板の凹面上に設けられる貼合部材と、
を含む、携帯電子機器の支持構造。
【請求項２】
前記枢着ソケットの凸柱端部に位置決め凸体を設け、該位置決め凸体は、該パッドリング及び該パッドの貫通孔に穿合し、該パッド上に拡張押圧し、該枢軸の中間部位及び一端にそれぞれ弾性拡張部を設ける請求項１に記載の携帯電子機器の支持構造。
【考案の詳細な説明】
【技術分野】
【０００１】
本考案は、携帯電話又はタブレットＰＣ等の携帯電子機器に取り付けることができ、その設置角度を調整でき、携帯電子機器を支持させ、掴持使用に便利にする携帯電子機器の支持構造に関する。
【背景技術】
【０００２】
科学技術の発展と進歩に伴い、携帯電話又はタブレットＰＣ等の携帯電子機器（３Ｃ製品：Computer、Communication、Consumerを表す）は、既に現代の人々にとって不可欠な製品の一つとなっており、人の手が携帯電話又はタブレットＰＣを携帯使用しているところは益々よく見られるようになっているが、一般に携帯電子機器上には、掴持又は支持使用に便利にさせる構造設計を有していない。
使用者は、ただ片方の手で携帯電子機器を掴持し、もう片方の手でパネルにタッチして使用することのみでき、片手で携帯電子機器の辺縁を掴持した場合は、有効かつ安定して掴持することができず、滑り落ち、脱落する恐れがあり、携帯電子機器の破壊を招き、且つ長時間携帯電子機器を施力掴持すると、手部の痛み、不快感を招き、また、携帯電子機器は、デスクトップに安置する時、支持構造がなく、故に平置きするしかなく、角度を呈して安置したい場合、別途支持構造を購入設置し、安置させる必要があり、一般の携帯電子機器の支持構造は、その体積が大きく、設置空間を占有し、且つ携帯に不便である。
【先行技術文献】
【特許文献】
【０００３】
【特許文献１】特開２０１４−９９４４２号公報
【特許文献１】特開２００９−１４７９９２号公報
【考案の概要】
【考案が解決しようとする課題】
【０００４】
本考案の目的は、従来の携帯電子機器の掴持使用及び安置使用時に存在する欠点を有効に解決することにある。
【課題を解決するための手段】
【０００５】
本考案の携帯電子機器の支持構造は、
基板であり、該基板に凹面を設け、該基板上に貫通孔を設ける基板と、
枢着ソケットであり、該基板の一側面に設けられ、該枢着ソケット上に軸孔を設け、該枢着ソケットの端部に凸柱を設け、該凸柱は、該基板の貫通孔内に貫通設置される枢着ソケットと、
支持部材であり、該枢着ソケット上に設けられ、該支持構造は、２つの枢着凸耳を設け、該枢着凸耳上に軸孔を設け、該支持部材の２つの側辺が孤形欠き口を相対して設ける支持部材と、
該支持部材の軸孔と、該枢着ソケットの軸孔内に貫通設置される枢軸と、
パッドリングであり、該基板の凹面上に設けられ、該パッドリングは、ゴム材質から形成され、該パッドリング上に貫通孔を設けるパッドリングと、
パッドであり、該パッドリング上に貼合され、該基板の凹面上に設けられ、該パッド上に貫通孔を設けるパッドと、
該基板の凹面上に設けられる貼合部材と、
を含む。
【０００６】
本考案の携帯電子機器の支持構造は、該枢着ソケットの凸柱端部に位置決め凸体を設け、該位置決め凸体は、該パッドリング及び該パッドの貫通孔に穿合し、該パッド上に拡張押圧し、該枢軸の中間部位及び一端にそれぞれ弾性拡張部を設ける。
【０００７】
本考案の携帯電子機器の支持構造において、該パッドは、金属材質から形成される。
【０００８】
本考案の携帯電子機器の支持構造において、該貼合部材は、両面テープであり、該貼合部材の外側面に容易剥離シートを設ける。
【考案の効果】
【０００９】
本考案の携帯電子機器の支持構造の利点は、以下である：
携帯電子機器に固定設置するのに便利であり、使用者が掴持する時に製品を安定して保持することができ、滑り落ち、脱落する恐れがなく、且つ支持部材の角度を自ら調整することができ、携帯電子機器を任意の角度に安置させることができ、且つ該携帯電子機器の支持構造は、携帯電子機器上に直接取り付けることができ、空間を占有せず、携帯電子機器と共に携帯使用することができ、使用上非常に便利である。
【図面の簡単な説明】
【００１０】
【図１】本考案の実施例の立体分解図である。
【図２】本考案の実施例のもう１つの角度における立体分解図である。
【図３】本考案の実施例の立体組み合わせ図である。
【図４】本考案の実施例の組み合わせ断面図である。
【図５】本考案の実施例の携帯電話に取り付ける説明図である。
【図６】本考案の実施例の携帯電話に取り付け、保持使用する説明図である。
【図７】本考案の実施例の携帯電話に取り付け、配置使用する説明図である。
【図８】本考案の実施例の携帯電話に取り付け、他の角度に配置する説明図である。
【図９】本考案の実施例の携帯電話に取り付け、配置する平面説明図である。
【図１０】本考案の実施例の携帯電話に取り付ける説明図である。
【図１１】本考案の実施例のタブレットＰＣに取り付ける平面説明図である。
【考案を実施するための形態】
【００１１】
本考案が上記の使用目的及び効果を達成する為に採用する技術手段について、好適な実施例を挙げ、図面を合わせて以下に詳細を説明する。
【００１２】
本考案の実施例は、図１〜図４に示すように、基板１であり、該基板１に凹面１０を設け、該基板１上に貫通孔１１を設ける基板１と、枢着ソケット２である。
該基板１の一側面に設けられ、該枢着ソケット２上に軸孔を設け、該枢着ソケット２の端部に凸柱２１を設け、該凸柱２１は、該基板１の貫通孔１１内に貫通設置され、該凸柱２１の端部に位置決め凸体２２を設ける枢着ソケット２である。
支持部材３は、該枢着ソケット２上に設けられ、該支持構造３は、２つの枢着凸耳３０を設け、該枢着凸耳３０上に軸孔を設け、該支持部材３の２つの側辺が孤形欠き口３２を相対して設け、該支持部材３の下部に湾折部３３を設ける支持部材３である。枢軸４は、該支持部材３の軸孔３１と、該枢着ソケット２の軸孔２０内に貫通設置され、該枢軸４の中間部位と一端にそれぞれ弾性拡張部４０，４１を設ける枢軸４である。パッドリング５は、該基板１の凹面１０上に設けられ、該パッドリング５は、ゴム材質から形成され、該パッドリング５上に貫通孔５０を設けるパッドリング５である。パッド６は、該パッドリング５上に貼合され、該基板１の凹面１０上に設けられ、該パッド６上に貫通孔６０を設けるパッド６である。貼合部材７は、該基板１の凹面１０上に設けられ、該貼合部材７は、両面テープであり、該貼合部材７の外側面に容易剥離シート７０を設ける貼合部材である。本考案は、以上の構成を設けた携帯電子機器の支持構造である。
【００１３】
組み合わせ時、図１〜図４を参照し、先ず、パッドリング５及びパッド６は、堆積され、基板１の凹面１０上に設けられ、枢着ソケット２の凸柱２１を基板１の貫通孔１１内に貫通設置し、更に、枢着ソケット２の位置決め凸体２２をパッドリング５とパッド６の貫通孔５０，６０に貫通設置し、更に、位置決め凸体２２をスタンピングにより拡張し、パッド６上に押圧させ（図４参照）、枢着ソケット２を基板１上に安定して枢着させ、貼合部材７を基板１の凹面１０内に貼合し、支持部材３を枢着ソケット２上に組み付け、枢着ソケット２を支持部材３の２つの枢着凸耳３０の間に位置させ、支持部材３の軸孔３１は、枢着ソケット２の軸孔２０に位置合わせし、枢軸４を支持部材の軸孔３１と枢着ソケット２の軸孔２０内に穿合させ、枢軸４の弾性拡張部４０，４１が支持部材３の軸孔３１及び枢着ソケット２の軸孔２０内に弾性支持され、支持部材３を枢着ソケット２上に安定して枢着させることができ、このように全体の取り付けを完成することができる。
【００１４】
使用時、図４〜図１１に示すように、先ず、貼合部材７の容易剥離シート７０を剥離し（図４参照）、基板１を該支持構造に設置したい携帯電子機器上に貼合し（図５参照）、貼合部材７により、基板１を携帯電子機器上に貼合し、携帯電話Ａを掴持使用する時、支持部材３を枢着ソケット２及び枢軸４を支軸として外向きに開き（図６参照）、使用者が２本の手指で支持部材３上の相対する孤形欠き口３２内に挟み込ませ、且つ支持部材３上の湾折部３３及び弧形欠き口３２両端のチルト部が手指の挟持する時に滑り止めの作用を有し、滑り落ち、脱落する恐れがない。
支持部材３上の弧形欠き口３２の設計によって、使用者の異なる粗さの手指で挟持使用させることができ、指回りの大きさの制限を受けない。携帯電話Ａをデスクトップに安置する時（図７、図８、図９参照）、支持部材３を支持点とする必要があり、携帯電話Ａをデスクトップ上に支持して傾斜して安置することができる。
【００１５】
使用者にタッチパネルを便利に操作させ、枢着ソケット２は、基板１上で任意の角度に回転でき、枢着ソケット２は、プラスチック材質により形成されるパッドリング５により弾性的に締め付けさせ、枢着ソケット２を回転時に安定位置決めさせることができ、携帯電話Ａを直立又は水平に安置させることができ、且つ支持部材３の支持角度は、使用者の要求に応じてその展開角度を自ら調整でき、支持部材３は、展開時に枢軸４上の弾性拡張部４０，４１により支持部材３と枢着ソケット２の軸孔３１，２０内に弾性的に保持され、位置決めされ、支持部材３を携帯電子機器にしっかりと支持される。
【００１６】
本考案の携帯電子機器の支持構造は、携帯電話Ａ、携帯電話ケースＢ（図１０参照）又はタブレットＰＣＣ（図１１参照）等の製品に直接貼合でき、携帯電子機器上に固定設置でき、使用者に掴持させる時に携帯電子機器を安定して保持でき、滑り落ち、脱落する恐れがなく、且つ支持部材３の角度を自ら調整でき、携帯電子機器を任意の角度に安置させることができ、且つ支持部材３は携帯電子機器上に直接取り付けられ、空間を占有せず、携帯電子機器と共に携帯使用でき、使用上に非常に便利である。
【００１７】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１８】
１  基板
１０  凹面
１１  貫通孔
２  枢着ソケット
２０  軸孔
２１  凸柱
２２  位置決め凸体
３  支持部材
３０  枢着凸耳
３１  軸孔
３２  弧形欠き口
３３  湾折部
４  枢軸
４０  弾性拡張部
４１  弾性拡張部
５  パッドリング
５０  貫通孔
６  パッド
６０  貫通孔
７  貼合部材
７０  容易剥離シート
Ａ  携帯電話
Ｂ  携帯電話ケース
Ｃ  タブレットＰＣ
【図１】
0003201193.tif 000003
【図２】
0003201193.tif 000004
【図３】
0003201193.tif 000005
【図４】
0003201193.tif 000006
【図５】
0003201193.tif 000007
【図６】
0003201193.tif 000008
【図７】
0003201193.tif 000009
【図８】
0003201193.tif 000010
【図９】
0003201193.tif 000011
【図１０】
0003201193.tif 000012
【図１１】
0003201193.tif 000013